(57)【特許請求の範囲】
【請求項１】
フードと、
前記フードの上部に着脱可能に取り付けられ、排気口を有する本体部と、
前記フードの内面に設けられ、前記本体部と連通する開口部を有する内面パネルと、
前記開口部を塞ぎ、吸引口を有する塞ぎ板と、
を備え、
前記本体部は、
空気の流れを発生させる羽根車と、
前記羽根車を内部に含み、前記吸引口と適合する吸込口および前記排気口と適合する吹出口を有するファンケーシングと、
を内部に有し、
前記フードの取り付け部分に対して垂直な第１軸を中心にして前記羽根車を含む前記ファンケーシングを内部に有する前記本体部を回転させた場合、前記吸込口は前記開口部の内側に収まり、
前記開口部に対して垂直な第２軸を中心にして前記塞ぎ板を回転させた場合、前記吸引口は、前記本体部を回転させた場合の前記吸込口に適合するように、前記第１軸と前記第２軸は一致し、
前記塞ぎ板は、前記塞ぎ板のみを前記内面パネルに対して着脱可能であることを特徴とする、
レンジフード。
【請求項２】
前記第１軸を中心にして前記本体部を１８０度回転させた場合、前記吸込口は前記開口部の内側に収まり、前記第２軸を中心にして前記塞ぎ板を１８０度回転させた場合、前記吸引口は前記本体部を回転させた場合の前記吸込口に適合することを特徴とする請求項1に記載のレンジフード。
【請求項３】
前記羽根車の回転中心位置は、前記本体部を前後方向に二等分する直線上に位置することを特徴とする請求項１または２に記載のレンジフード。
【請求項４】
前記吸引口の内径は、前記吸引口と対向する位置に設けられる前記吸込口の内径以下であることを特徴とする請求項１乃至3のいずれかに記載のレンジフード。
【請求項５】
前記塞ぎ板は、前記吸引口の周囲にベルマウスと一体的に形成されていることを特徴とする請求項１乃至4のいずれかに記載のレンジフード。
【請求項６】
前記塞ぎ板は、前記吸引口が前記吸込口に適合しない位置にある場合には前記内面パネルに取り付けられることを阻止する阻止部を有することを特徴とする請求項１乃至５のいずれかに記載のレンジフード。
【発明の詳細な説明】
【技術分野】
【０００１】
本発明は、レンジフードに関し、特に施工現場で形を変更できるレンジフードに関する。
【背景技術】
【０００２】
従来のレンジフードは、ファンを含む本体部に右排気型の排気口または左排気型の排気口が固定されて備え付けられており、右排気型の排気口を備えたレンジフードを設置するか、または左排気型の排気口を備えたレンジフードを設置するかは、建物の壁に設けられた排気ダクト接続孔の位置によって選択する。このため、どちらのタイプのレンジフードを出荷するかは施工現場の状態を確認した上で出荷している。
【０００３】
ここで、上記のようであると施工現場に排気方向が異なる排気口を備えたレンジフードを間違えて出荷してしまった場合、再度発注および出荷しなければならず、工数がかかっていた。この問題に対する対策として、排気口を備えた本体部を回転させて左右反転することで右排気型の排気口または左排気型の排気口を施工現場で選択可能とすることが考えられる。
【０００４】
しかし、本体部を左右反転させるとファンの位置が変わるため、フード内面に備える吸込口とファンの位置がずれるためレンジフードとして機能せず、結局は再度発注および出荷しなければならないという問題があった。
【発明の概要】
【発明が解決しようとする課題】
【０００５】
そこで、本発明は、上記問題に鑑みてなされたものであり、本発明の目的とするところは、設置する場所の排気ダクト接続孔の位置に適合しないレンジフードが発注／出荷なされても再度発注／出荷することなく、施工現場で排気ダクト接続孔の位置に応じて排気口の位置を選択することができるレンジフードを提供することである。
【課題を解決するための手段】
【０００６】
上記課題を解決するために、フードと、前記フードの上部に着脱可能に取り付けられ、排気口を有する本体部と、前記フードの内面に設けられ、前記本体部と連通する開口部を有する内面パネルと、前記開口部を塞ぎ、吸引口を有する塞ぎ板と、を備え、前記本体部は、空気の流れを発生させる羽根車と、前記羽根車を内部に含み、前記吸引口と適合する吸込口および前記排気口と適合する吹出口を有するファンケーシングと、を内部に有し、前記フードの取り付け部分に対して垂直な第１軸を中心にして前記羽根車を含むファンケーシングを内部に有する前記本体部を回転させた場合、前記吸込口は前記開口部の内側に収まり、前記開口部に対して垂直な第２軸を中心にして前記塞ぎ板を回転させた場合、前記吸引口は、前記本体部を回転させた場合の前記吸込口に適合するように、前記第１軸と前記第２軸は一致し、前記塞ぎ板は、前記塞ぎ板のみを前記内面パネルに対して着脱可能であることを特徴とする、レンジフードが提供される。
これによれば、設置する場所の排気ダクト接続孔の位置に適合しないレンジフードが発注／出荷なされても再度発注／出荷することなく、施工現場で排気ダクト接続孔の位置に応じて排気口の位置を選択することができるレンジフードを提供することができる。
【０００７】
さらに、塞ぎ板は、内面パネルに対して着脱可能であることを特徴としてもよい。
これによれば、使用者も着脱可能であるため、レンジフード内部の清掃が容易となる。
【０００８】
さらに、第１軸を中心にして本体部を１８０度回転させた場合、吸込口は開口部の内側に収まり、第２軸を中心にして塞ぎ板を１８０度回転させた場合、吸引口は本体部を回転させた場合の吸込口に適合することを特徴としてもよい。
これによれば、１８０度回転させた場合、吸引口や吸込口の前後方向の位置の大きな変化がないため、塞ぎ板の前後方向の大きさを小さくすることができる。
【０００９】
さらに、羽根車の回転中心位置は、本体部を前後方向に二等分する直線上に位置することを特徴としてもよい。
これによれば、右排気型または左排気型の排気口の位置に拘わらず、吸引口の前後方向の位置がずれることがないので、捕集量に差が無く安定した捕集量が得られる。
【００１０】
さらに、吸引口の内径は、吸引口と対向する位置に設けられる吸込口の内径以下であることを特徴としてもよい。
これによれば、塞ぎ板は、ファンケーシングからの滴下する油を受けることができる。また、油受けを別途設ける必要がないので部品点数が減り工数削減につながり、さらに材料費を削減することができる。
【００１１】
さらに、塞ぎ板は、吸引口の周囲にベルマウスと一体的に形成されていることを特徴としてもよい。
これによれば、ベルマウスを別途設ける必要がないので部品点数が減り工数削減につながり、さらに材料費を削減することができる。
【００１２】
さらに、塞ぎ板は、吸引口が吸込口に適合しない位置にある場合には内面パネルに取り付けられることを阻止する阻止部を有することを特徴としてもよい。
これによれば、誤った方向に取り付けると捕集性能に悪影響を与えるが、この悪影響を防止することができる。
【発明の効果】
【００１３】
以上説明したように、本発明によれば、設置する場所の排気ダクト接続孔の位置に適合しないレンジフードが発注／出荷なされても再度発注／出荷することなく、施工現場で排気ダクト接続孔の位置に応じて排気口の位置を選択することができるレンジフードを提供することができる。
【図面の簡単な説明】
【００１４】
【図１】本発明に係る第一実施例におけるレンジフードの六面図。（Ａ）正面図、（Ｂ）平面図、（Ｃ）底面図、（Ｄ）右側面図。
【図２】本発明に係る第一実施例におけるレンジフードを、（Ａ）右上から見た斜視図、（Ｂ）右下から見た斜視図。
【図３】本発明に係る第一実施例におけるレンジフードの、（Ａ）図１のＩ−Ｉ断面における断面図、（Ｂ）図１のＩＩ−ＩＩ断面における断面図。
【図４】本発明に係る第一実施例において本体部とフードを取り外した状態のレンジフードを、（Ａ）右下から見た斜視図、（Ｂ）右上から見た斜視図。
【図５】本発明に係る第一実施例におけるレンジフードの本体部の六面図。（Ａ）正面図、（Ｂ）平面図、（Ｃ）底面図、（Ｄ）左側面図、（Ｅ）右側面図。
【図６】本発明に係る第一実施例におけるレンジフードの本体部を、（Ａ）右上から見た斜視図、（Ｂ）右下から見た斜視図。
【図７】本発明に係る第一実施例におけるレンジフードの本体部を、右下から見た分解斜視図。
【図８】本発明に係る第一実施例におけるレンジフードの目隠し板の六面図。（Ａ）正面図、（Ｂ）平面図、（Ｃ）底面図、（Ｄ）左側面図、（Ｅ）右側面図、（Ｆ）背面図、（Ｇ）斜視図。
【図９】本発明に係る第一実施例におけるレンジフードを右下から見た斜視図であって、（Ａ）レンジフード全体、（Ｂ）整流板を取り外した場合のレンジフード、（Ｃ）塞ぎ板をさらに取り外した場合のレンジフード、（Ｄ）内面パネルをさらに取り外した場合のレンジフード、（Ｅ）目隠し板をさらに取り外した場合のレンジフードを示す。
【図１０】本発明に係る第一実施例におけるレンジフードの塞ぎ板の六面図。（Ａ）正面図、（Ｂ）平面図、（Ｃ）底面図、（Ｄ）左側面図、（Ｅ）右側面図、（Ｆ）背面図、（Ｇ）斜視図、（Ｈ）断面ＩＩＩ−ＩＩＩにおける断面図。
【図１１】本発明に係る第一実施例におけるレンジフードのフードの六面図。（Ａ）正面図、（Ｂ）平面図、（Ｃ）底面図、（Ｄ）右側面図、（Ｅ）ＩＶ−ＩＶ断面における断面図、（Ｆ）ＩＶ−ＩＶ断面における囲み部分の拡大断面図。
【図１２】本発明に係る第一実施例におけるレンジフードのフードの、（Ａ）斜視図、（Ｂ）囲み部分の拡大斜視図、（Ｃ）本体部との取り付けを示す斜視図。
【図１３】本発明に係る第一実施例におけるレンジフードを右上から見た斜視図であって本体部と塞ぎ板を１８０度回転させる場合を説明する説明図。（Ａ）左排気型のレンジフード、（Ｂ）フードから本体部を取り外した場合、（Ｃ）本体部と塞ぎ板を回転させた場合、（Ｄ）壁取付部の位置を変更した場合、（Ｅ）塞ぎ板を回転させた場合、（Ｆ）フードに本体部を取り付けた右排気型のレンジフード。
【図１４】本発明に係る第一実施例における、（Ａ）左排気型のレンジフードの正面図、（Ｂ）左排気型のレンジフードの平面図、（Ｃ）左排気型のレンジフードの底面図、（Ｄ）右排気型のレンジフードの正面図、（Ｅ）右排気型のレンジフードの平面図、（Ｆ）右排気型のレンジフードの底面図。
【図１５】本発明に係る第一実施例における、（Ａ）図１のＩＩ−ＩＩ断面におけるレンジフードの断面図、（Ｂ）レンジフードの底面図、（Ｃ）本体部の底面図。
【発明を実施するための形態】
【００１５】
以下では、図面を参照しながら、本発明に係る実施例について説明する。
＜第一実施例＞
図１乃至図４は、本発明に係る本実施例におけるレンジフード１を示す。レンジフード１は、調理器の上方に設けられ、下方または周囲で行われる調理によって発生する湯気や油煙等を含む空気を捕集するための、上方に凹状の内面パネル１２を内面に有する薄型のフード１０と、フード１０の上部に着脱可能に取り付けられ、油煙等を吸引するための空気の流れを発生させる羽根車２２を含むファンケーシング２３を内部に有する本体部２０とを備える。
【００１６】
本体部２０は、設備の排気ダクト（図示せず）に連結される排気口２１を正面視左寄りの位置の上部に、および、羽根車２２に動力を供給するモータ２２１を覆うモータカバー２２２を正面視中央やや右寄りの位置の上部に、有する。本図に示すレンジフード１は、いわゆる左排気型のレンジフードである。本体部２０は、レンジフード１を設置する現場でフード１０と着脱できるように取り付けられているので、後述するように、排気口２１の位置を変化させることができる。本体部２０の内部に存するファンケーシング２３は、フード１０側に吸込口２３１と、上方に向かって開口し排気口２１と適合し連通する吹出口２３２とを有する。また、本体部２０は、背面側の両端にレンジフード１を壁面に取り付けるための壁取付部２４を有する。
【００１７】
フード１０は、内面パネル１２と対向するように下方に整流板５０を備える。整流板５０は、内面パネル１２に対して着脱可能に備えられるが、取り付けられた場合、その周囲に、内面パネル１２との間に空気を吸い込む隙間を形成する。内面パネル１２は、本体部２０の吸込口２３１と連通する開口部１３を有すると共に、その開口部１３を塞ぐ塞ぎ板３０を内面パネル１２に対して着脱可能に備える。塞ぎ板３０は使用者も着脱可能であるため、レンジフード内部の清掃が容易となる。そして、塞ぎ板３０は、塞ぎ板３０の中心から偏心し、羽根車２２の回転中心と一致する中心を有する円形の吸引口３１を有する。吸引口３１は、吸込口２３１と適合することとなる。塞ぎ板３０を取り付けた場合、モータ２２１の回転軸の延長線上に塞ぎ板３０の吸引口３１の中心が位置することが好ましい。これによれば、羽根車２２の駆動時は力が偏ることなく均一に吸い込むことができるため、モータ２２１に余計な負荷がかからない。
【００１８】
羽根車２２が回転することで空気の流れが発生する。内面パネル１２と整流板５０の隙間から吸い込まれた油煙等を含む空気は、塞ぎ板３０の吸引口３１を通って羽根車２２の内部に到達し、羽根車２２の羽根やファンケーシング２３の内部に油分を付着させて浄化された後吹出口２３２から排気口２１へ導かれ、屋外等へ排出される。なお、吸引口３１の周囲には、空気を低い抵抗でスムースに吸込むようにガイドするため、空気の流れに接する部分にラッパ口形状を有するベルマウス３２を備える。塞ぎ板３０は、吸引口３１の周囲にベルマウス３２と一体的に形成されている。これによれば、ベルマウスを別途設ける必要がないので部品点数が減り工数削減につながり、さらに材料費を削減することができる。
【００１９】
本体部２０とフード１０は、本体部２０のフランジ部２５が、フード１０の取り付け部分１１と係合したり、ネジ止めされることで、両者が着脱可能に取り付けられる。このようであるから容易にネジの取り外しが可能なので、現場でレンジフード１の設置者が、一体となっているフード１０から本体部２０を一旦取り外して、本体部２０を回転させることで排気口２１の位置を変更した後で再度両者を一体のレンジフード１とすることができる。
【００２０】
図５乃至図９は、本実施例における本体部２０を示す。本体部２０は、上述した左排気型のレンジフード、および右排気型のレンジフードに共通に用いられる。本体部２０は、内部にモータ２２１に駆動される羽根車２２を含むファンケーシング２３と、空気の流れにおけるファンケーシング２３の上流側であって塞ぎ板３０の下流側に取り付けられ、吸込口２３１と一致するまたは吸込口２３１より大きい流通孔２３６を有する目隠し板２３３とを有する。
【００２１】
ファンケーシング２３は、吸込口２３１から油煙等を含む空気を吸い込んで、羽根等で油分を除去した後の空気を吹出口２３２から吹出す。羽根車２２の回転中心は、吸込みバランスを考慮するとフード１０の左右中央位置近傍にあることが好ましい。そうすると、吸込口２３１が内面パネル１２の左右中央位置近傍に位置し、その一方、吹出口２３２は、ファンケーシング２３の構造を考慮するとレンジフード１の中央位置とは離れた縁辺部近傍に位置することとなる。その結果、吹出口２３２と位置を同じくして適合する排気口２１もレンジフード１の縁辺部近傍に位置することとなる。なお、本実施例では、吸込口２３１は、本体部２０に対して左右中央近傍であるが、本体部２０の中心位置からは偏心している。また、ファンケーシング２３は、羽根車２２の羽根で捕集した油分やファンケーシング２３の内壁に付着して内部に溜まった油分を滴下するためのドレーン孔２３５を底面に備える。
【００２２】
目隠し板２３３は、内面パネル１２の開口部１３よりも大きく、開口部１３を塞ぐ塞ぎ板３０を取り外した場合でも、本体部２０の内部が見えないように目隠しすると共に、ドレーン孔２３５から滴下する油分を受ける。目隠し板２３３は、油抜き孔２３４を備えて、油分をさらに塞ぎ板３０に滴下する。このようであるから、目隠し板２３３により、塞ぎ板３０を外した場合にも使用者にすっきりとした印象を与える。また、目隠し板２３３を底面視でファンケーシング２３を覆う大きさとすることで、ファンケーシング２３の外部に漏れてファンケーシング２３に付着した油も目隠し板２３３に滴下して塞ぎ板３０へと流れるため回収可能となる。また、レンジフード１内部で捕獲した油分を確実に塞ぎ板３０に流すことで、使用者が塞ぎ板３０を取り外して溜まった油分を回収できるため、レンジフード１内部に油分が溜まって臭いが発生する事態を防ぐことができる。
【００２３】
左排気型のレンジフードと右排気型のレンジフードとを切り替える場合、本体部２０は、フード１０上面の取り付け部分１１に対して垂直であって、奥行き（Ｄ）と横幅（Ｗ）の中央位置（換言すれば、矩形の対角線の交点）の第１軸ＡＸ１を中心に回転させる。
【００２４】
図１０は、塞ぎ板３０を示す。塞ぎ板３０は、上述した左排気型のレンジフード、および右排気型のレンジフードに共通に用いられる。塞ぎ板３０は、内面パネル１２の開口部１３に気密に着脱可能に取り付けられる。塞ぎ板３０は、吸込口２３１に適合するように吸引口３１を有する。
【００２５】
塞ぎ板３０は、工数削減および材料費削減のため、吸引口３１の周囲にベルマウス３２と一体的に形成されている。塞ぎ板３０は、下方側（空気の流れの上流側）に凹む凹部を有する。その凹部にフィルタおよび／またはファンケーシング２３から滴下した油が溜まるため、油が塞ぎ板３０に広がらず、また塞ぎ板３０を取り外す際に溜まった油がこぼれにくい。
【００２６】
左排気型のレンジフードと右排気型のレンジフードとを切り替える場合、塞ぎ板３０は、内面パネル１２の開口部１３に対して垂直であって、奥行き（ｄ）と横幅（ｗ）の中央位置（換言すれば、矩形の対角線の交点）の第２軸ＡＸ２を中心に回転させる。
【００２７】
図１１および図１２は、フード１０を示す。フード１０は、上述した左排気型のレンジフード、および右排気型のレンジフードに共通に用いられる。フード１０は、本体部２０のフランジ部２５が当接する付近の上面に、フランジ部２５を挟み込むための爪部１１１や、フランジ部２５とネジで留めるためのネジ穴を適宜有する。
【００２８】
図１３および図１４を参照して、左排気型のレンジフードから右排気型のレンジフードに切り替える場合を説明する。図１３（Ａ）は、図１などで示した左排気型のレンジフード１を示す。図１３（Ｂ）は、本体部２０をフード１０に取り付けているネジを外し、取り付け部分１１からフード部を取り外した場合を示している。
【００２９】
図１３（Ｃ）は、フード１０の取り付け部分１１に対して垂直な第１軸ＡＸ１を中心にして本体部２０を１８０度回転させた場合を示す。本体部２０のフランジ部２５は、前後左右対称の形態を有するが、壁取付部２４は前後対称になっていない。そこで、図１３（Ｄ）は、正面側に来た壁取付部２４を取り外して背面側に再度取り付けた場合を示す。
【００３０】
図１３（Ｅ）は、開口部１３に対して垂直な第２軸ＡＸ２を中心にして塞ぎ板３０を１８０度回転させた場合を示す。そして、図１３（Ｆ）は、本体部２０のフランジ部２５をフード１０の取り付け部分１１に取り付けて、ネジ止めで取り付けた場合であり、右排気型のレンジフード１を示す。
【００３１】
図１４（Ａ）乃至（Ｃ）は、図１３（Ａ）と同じ左排気型のレンジフード１を示し、図１４（Ｄ）乃至（Ｆ）は、図１３（Ｆ）と同じ右排気型のレンジフード１を示す。左排気型のレンジフードから右排気型のレンジフードに変更した場合であっても、すなわち、フード１０の取り付け部分１１に対して垂直な第１軸ＡＸ１を中心にして本体部２０を１８０度回転させ、かつ、開口部１３に対して垂直な第２軸ＡＸ２を中心にして塞ぎ板３０を１８０度回転させた場合であっても、本体部２０の中心位置からは偏心しているファンケーシング２３の吸込口２３１は開口部１３の内側に収まり、塞ぎ板３０の中心位置からは偏心している吸引口３１は、本体部２０を回転させた場合の吸込口２３１に適合するように、第１軸ＡＸ１と第２軸ＡＸ２は一致する。このような構造を有することで、設置する場所の排気ダクト接続孔の位置に適合しないレンジフードが発注／出荷なされても再度発注／出荷することなく、施工現場で排気ダクト接続孔の位置に応じて排気口の位置を選択することができるレンジフードを提供することができる。
【００３２】
なお、本実施例では、１８０度回転させる例を述べたが、これに限定されないことは言うまでも無い。本実施例では本体部と塞ぎ板は矩形であったが、たとえば、本体部と塞ぎ板が正方形であった場合は、排気ダクト接続孔の位置に応じて９０度回転させることでも排気口の位置を選択することができる。また、本体部と塞ぎ板が円形であった場合は、排気ダクト接続孔の位置に応じて自由に何度でも回転させて排気口の位置を選択することができる。
【００３３】
なお、フード１０の取り付け部分１１に対して垂直な第１軸ＡＸ１を中心にして本体部２０を１８０度回転させ、かつ、開口部１３に対して垂直な第２軸ＡＸ２を中心にして塞ぎ板３０を１８０度回転させても、吸込口２３１が移動する範囲は開口部１３の内側の範囲内に収まると共に、吸引口３１は本体部２０を回転させた場合の吸込口２３１に適合する構造を有することで、吸引口や吸込口の前後方向の位置の大きな変化がないため、塞ぎ板の前後方向の大きさを小さくすることができる。
【００３４】
また、図１５に示すように、塞ぎ板３０の吸引口３１の内径ＩＤ１は、吸引口３１と対向する位置に設けられるファンケーシング２３の吸込口２３１の内径ＩＤ２以下であることが好ましい。これによれば、塞ぎ板３０は、ファンケーシング２３からの滴下する油を受けることができる。また、油受けを別途設ける必要がないので部品点数が減り工数削減につながり、さらに材料費を削減することができる。
【００３５】
また、塞ぎ板３０は、吸引口３１が吸込口２３１に適合しない位置にある場合には内面パネル１２に取り付けられないようにすることが好ましい。たとえば、本実施例では、目隠し板２３３が下側（塞ぎ板３０側）へ凸の部分である阻止部２３７を有することで、吸引口３１が吸込口２３１に適合しない位置にある場合はこの阻止部２３７と、塞ぎ板３０のベルマウス３２が衝突するため塞ぎ板３０を内面パネル１２に取り付けることができない。これによれば、誤った方向に取り付けると捕集性能に悪影響を与えるが、この悪影響を防止することができる。
【００３６】
また、本実施例の変形例として、羽根車の回転中心位置は、本体部を前後方向に二等分する直線上に位置してもよい。これによれば、右排気型または左排気型の排気口の位置に拘わらず、吸引口の前後方向の位置がずれることがないので、捕集量に差が無く安定した捕集量が得られる。
【００３７】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではない。
【符号の説明】
【００３８】
１      レンジフード
１０    フード
１１    取り付け部分
１１１  爪部
１２    内面パネル
１３    開口部
２０    本体部
２１    排気口
２２    羽根車
２２１  モータ
２２２  モータカバー
２３    ファンケーシング
２３１  吸込口
２３２  吹出口
２３３  目隠し板
２３４  油抜き孔
２３５  ドレーン孔
２３６  流通孔
２３７  阻止部
２４    壁取付部
２５    フランジ部
３０    塞ぎ板
３１    吸引口
３２    ベルマウス
５０    整流板
ＡＸ１  第１軸
ＡＸ２  第２軸
ＩＤ１  吸引口３１の内径
ＩＤ２  吸込口２３１の内径
【図１】
0006735070.tif 000002
【図２】
0006735070.tif 000003
【図３】
0006735070.tif 000004
【図４】
0006735070.tif 000005
【図５】
0006735070.tif 000006
【図６】
0006735070.tif 000007
【図７】
0006735070.tif 000008
【図８】
0006735070.tif 000009
【図９】
0006735070.tif 000010
【図１０】
0006735070.tif 000011
【図１１】
0006735070.tif 000012
【図１２】
0006735070.tif 000013
【図１３】
0006735070.tif 000014
【図１４】
0006735070.tif 000015
【図１５】
0006735070.tif 000016